【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
画像データを送信する印刷制御装置と、前記印刷制御装置から送信された前記画像データを使って印刷を行う印刷装置と、を有する印刷システムであって、
前記印刷装置は、
前記印刷装置を制御する第１制御手段と、
前記第１制御手段によって処理されたデータを記憶する記憶手段と、
前記印刷制御装置と通信する第１通信手段と、
前記印刷装置を、前記第１制御手段及び前記第１通信手段への電力供給が停止されるが前記記憶手段には電力が供給される第１省電力状態に移行する電力制御手段と、を備え、
前記印刷装置を前記第１省電力状態に移行させる第１条件を満たしたことに基づいて、前記第１通信手段は、前記印刷制御装置に第１の情報を送信し、
前記印刷制御装置は、
前記印刷装置と通信する第２通信手段と、
前記第２通信手段による前記第１の情報の受信に従って前記印刷制御装置をオフにする第２制御手段と、を備えることを特徴とする印刷システム。
【請求項２】
前記第１条件を満たしたことに基づいて、前記電力制御手段は、前記印刷装置を前記第１省電力状態に移行する、ことを特徴とする請求項１に記載の印刷装置。
【請求項３】
前記電力制御手段は、さらに、前記印刷装置を、前記第１制御手段への電力供給が停止されるが前記第１通信手段及び前記記憶手段には電力が供給される第２省電力状態に移行し、
前記印刷装置を前記第２省電力状態に移行させる第２条件を満たしたとしても、前記第１通信手段は、前記第１の情報を前記印刷制御装置に送信しない、ことを特徴とする請求項１又は２に記載の印刷システム。
【請求項４】
前記第２条件を満たしたことに基づいて、前記第１通信手段は、前記印刷制御装置に第２の情報を送信して、前記電力制御手段は、前記印刷装置を前記第２省電力状態に移行し、
前記第２制御手段は、前記第２通信手段による前記第２の情報の受信に従って前記印刷制御装置を第３省電力状態に移行する、ことを特徴とする請求項３に記載の印刷システム。
【請求項５】
前記第１通信手段は、前記印刷装置が前記第２省電力状態から復帰したことに基づいて、前記印刷制御装置に第３の情報を送信し、
前記第２制御手段は、前記第２通信手段による前記第３の情報の受信に従って前記印刷制御装置を前記第３省電力状態から復帰する、ことを特徴とする請求項４に記載の印刷システム。
【請求項６】
前記記憶手段は、前記第１省電力状態で、前記印刷装置の動作状態を記憶する、ことを特徴とする請求項１乃至５の何れか１項に記載の印刷システム。
【請求項７】
前記記憶手段は、揮発性のメモリである、ことを特徴とする請求項１乃至６の何れか１項に記載の印刷システム。
【請求項８】
前記第２制御手段は、前記第２通信手段による前記第１の情報の受信に従って、前記印刷制御装置のシャットダウン処理を実行して、前記印刷制御装置をオフにする、ことを特徴とする請求項１乃至７の何れか１項に記載の印刷システム。
【請求項９】
前記印刷装置は、ユーザ操作を受け付ける電源スイッチをさらに備え、
前記電源スイッチがユーザ操作を受け付けたことに基づいて、前記第１通信手段は、前記第１の情報を送信し、前記電力制御手段は、前記印刷装置を前記第１省電力状態に移行する、ことを特徴とする請求項１乃至８の何れか１項に記載の印刷システム。
【請求項１０】
前記印刷装置は、前記電源スイッチがオフされたときに移行するべき電力状態を示す設定情報を保持する保持手段をさらに備え、
前記電力制御手段は、
前記電源スイッチがオフにされ且つ前記保持手段に保持された前記設定情報が前記第１省電力状態を示す場合、前記印刷装置を前記第１省電力状態に移行し、
前記電源スイッチがオフにされ且つ前記保持手段に保持された前記設定情報がオフ状態を示す場合、前記印刷装置をオフする、ことを特徴とする請求項９に記載の印刷システム。
【請求項１１】
前記第１通信手段は、前記印刷装置が前記第１省電力状態から復帰したことに基づいて、前記印刷制御装置に第４の情報を送信し、
前記第２制御手段は、前記第２通信手段による前記第４の情報の受信に従って前記印刷制御装置をオンする、ことを特徴とする請求項１乃至１０の何れか１項に記載の印刷システム。
【請求項１２】
前記第１制御手段は、前記印刷装置のメインプロセッサであり、前記記憶手段は、前記メインプロセッサのメインメモリである、ことを特徴とする請求項１乃至１１の何れか１項に記載の印刷システム。
【請求項１３】
前記第１省電力状態は、サスペンド状態である、ことを特徴とする請求項１乃至１２の何れか１項に記載の印刷システム。
【請求項１４】
前記第１通信手段は、ネットワークインターフェースであり、前記第２通信手段は、ネットワークインターフェースである、ことを特徴とする請求項１乃至１３の何れか１項に記載の印刷システム。
【請求項１５】
画像データを送信する印刷制御装置と通信可能であって、前記印刷制御装置から送信された前記画像データを使って印刷を行う印刷装置において、
前記印刷装置を制御する第１制御手段と、
前記第１制御手段によって処理されたデータを記憶する記憶手段と、
前記印刷制御装置と通信する第１通信手段と、
前記印刷装置を、前記第１制御手段及び前記第１通信手段への電力供給が停止されるが前記記憶手段には電力が供給される第１省電力状態に移行する電力制御手段と、を備え、
前記印刷装置を前記第１省電力状態に移行させる第１条件を満たしたことに基づいて、前記第１通信手段は、前記印刷制御装置に第１の情報を送信して、前記電力制御手段は、前記印刷装置を前記第１省電力状態に移行し、
前記印刷制御装置は、前記第１の情報の受信に従って前記印刷制御装置をオフにする、ことを特徴とする印刷装置。
【請求項１６】
前記電力制御手段は、さらに、前記印刷装置を、前記第１制御手段への電力供給が停止されるが前記第１通信手段及び前記記憶手段には電力が供給される第２省電力状態に移行し、
前記印刷装置を前記第２省電力状態に移行させる第２条件を満たしたとしても、前記第１通信手段は、前記第１の情報を前記印刷制御装置に送信しない、ことを特徴とする請求項１５に記載の印刷装置。
【請求項１７】
前記第２条件を満たしたことに基づいて、前記第１通信手段は、前記印刷制御装置に第２の情報を送信して、前記電力制御手段は、前記印刷装置を前記第２省電力状態に移行し、
前記印刷制御装置は、前記第２の情報の受信に従って第３省電力状態に移行する、ことを特徴とする請求項１６に記載の印刷装置。
【請求項１８】
前記第１通信手段は、前記印刷装置が前記第２省電力状態から復帰したことに基づいて、前記印刷制御装置に第３の情報を送信し、
前記印刷制御装置は、前記第３の情報の受信に従って前記第３省電力状態から復帰する、ことを特徴とする請求項１７に記載の印刷装置。
【請求項１９】
前記記憶手段は、前記第１省電力状態で、前記印刷装置の動作状態を記憶する、ことを特徴とする請求項１５乃至１８の何れか１項に記載の印刷装置。
【請求項２０】
前記記憶手段は、揮発性のメモリである、ことを特徴とする請求項１５乃至１９の何れか１項に記載の印刷装置。
【請求項２１】
前記印刷装置は、ユーザ操作を受け付ける電源スイッチをさらに備え、
前記電源スイッチがユーザ操作を受け付けたことに基づいて、前記第１通信手段は、前記第１の情報を送信し、前記電力制御手段は、前記印刷装置を前記第１省電力状態に移行する、ことを特徴とする請求項１５乃至２０の何れか１項に記載の印刷装置。
【請求項２２】
前記印刷装置は、前記電源スイッチがオフされたときに移行するべき電力状態を示す設定情報を保持する保持手段をさらに備え、
前記電力制御手段は、
前記電源スイッチがオフにされ且つ前記保持手段に保持された前記設定情報が前記第１省電力状態を示す場合、前記印刷装置を前記第１省電力状態に移行し、
前記電源スイッチがオフにされ且つ前記保持手段に保持された前記設定情報がオフ状態を示す場合、前記印刷装置をオフする、ことを特徴とする請求項２１に記載の印刷装置。
【請求項２３】
前記第１通信手段は、前記印刷装置が前記第１省電力状態から復帰したことに基づいて、前記印刷制御装置に第４の情報を送信し、
前記印刷制御装置は、前記第４の情報の受信に従ってオンする、ことを特徴とする請求項１５乃至２２の何れか１項に記載の印刷装置。
【請求項２４】
前記第１制御手段は、前記印刷装置のメインプロセッサであり、前記記憶手段は、前記メインプロセッサのメインメモリである、ことを特徴とする請求項１５乃至２３の何れか１項に記載の印刷装置。
【請求項２５】
前記第１省電力状態は、サスペンド状態である、ことを特徴とする請求項１５乃至２４の何れか１項に記載の印刷装置。
【請求項２６】
前記第１通信手段は、ネットワークインターフェースであり、前記第２通信手段は、ネットワークインターフェースである、ことを特徴とする請求項１５乃至２５の何れか１項に記載の印刷装置。
【請求項２７】
画像データを送信する印刷制御装置と、前記印刷制御装置から送信された前記画像データを使って印刷を行う印刷装置とを備える印刷システムの制御方法であって、
前記印刷装置は、前記印刷装置を制御する第１制御手段及び前記印刷制御装置と通信する第１通信手段への電力供給が停止されるが前記第１制御手段によって処理されたデータを記憶する記憶手段には電力が供給される省電力状態に移行可能であり、
前記印刷装置を前記第１省電力状態に移行させる条件を満たしたことに基づいて、前記印刷制御装置に第１の情報を送信するステップと、
前記第１の情報の送信後に、前記印刷装置を前記第１省電力状態に移行するステップと、
前記第１の情報の受信に従って前記印刷制御装置をオフにするステップと、を備えることを特徴とする印刷システムの制御方法。
【請求項２８】
印刷制御装置から送信された画像データを使って印刷を行う印刷装置の制御方法であって、
前記印刷装置は、前記印刷装置を制御する第１制御手段及び前記印刷制御装置と通信する第１通信手段への電力供給が停止されるが前記第１制御手段によって処理されたデータを記憶する記憶手段には電力が供給される省電力状態に移行可能であり、
前記印刷装置を前記第１省電力状態に移行させる条件を満たしたことに基づいて、前記印刷制御装置に第１の情報を送信するステップと、
前記第１の情報の送信後に、前記印刷装置を前記第１省電力状態に移行するステップと、を有し、
前記印刷制御装置は、前記第１情報の受信に従って、オフになる、ことを特徴とする印刷装置の制御方法。
【手続補正２】
【補正対象書類名】明細書
【補正対象項目名】００１２
【補正方法】変更
【補正の内容】
【００１２】
本発明の印刷システムは、画像データを送信する印刷制御装置と、前記印刷制御装置から送信された前記画像データを使って印刷を行う印刷装置と、を有する印刷システムであって、前記印刷装置は、前記印刷装置を制御する第１制御手段と、前記第１制御手段によって処理されたデータを記憶する記憶手段と、前記印刷制御装置と通信する第１通信手段と、前記印刷装置を、前記第１制御手段及び前記第１通信手段への電力供給が停止されるが前記記憶手段には電力が供給される第１省電力状態に移行する電力制御手段と、を備え、前記印刷装置を前記第１省電力状態に移行させる第１条件を満たしたことに基づいて、前記第１通信手段は、前記印刷制御装置に第１の情報を送信し、前記印刷制御装置は、前記印刷装置と通信する第２通信手段と、前記第２通信手段による前記第１の情報の受信に従って前記印刷制御装置をオフにする第２制御手段と、を備える。